(57)【特許請求の範囲】
【請求項１】
下端部を塞いだ流入管と、上端部を塞いだ流出管とが隣接並列して配設され、流入管の下部に開口接続され、流出管外周面に螺旋状旋回上昇して、流出管の上部に開口接続された傾斜管を設け、排水が、螺旋状に旋回上昇されて渦巻き流にすることを特徴とする排水トラップ。
【請求項２】
流出管外周面に螺旋状旋回上昇させた傾斜管がその上方端を流出管上部のその接線方向に接続して開口され、螺旋状に旋回上昇して渦巻き流になった排水が流出管内にも渦巻き流となって勢い良く流れ込むことを特徴とする請求項１記載の排水トラップ。
【請求項３】
傾斜管が流出管外周面に螺旋状旋回上昇させて設けられ、コンパクトにした該傾斜管で渦巻き流を起し、流出管上部に接続した傾斜管上方端が封水部（ウェア）とされることを特徴とする請求項１乃至２のいずれか１項に記載の排水トラップ。
【発明の詳細な説明】
【技術分野】
【０００１】  本発明は、洗面器、流し、及び手洗い器の排水トラップに関するものである。
【背景技術】
【０００２】  従来、洗面器、流し、及び手洗い器の排水トラップは、Ｓ型排水トラップが一般的で、２つのＵ字管をもってＳ字トラップが構成されるものであった。
しかし、Ｓ型排水トラップは、２つのＵ字管によるＳ字トラップの構成であるためコンパクト化に限度があり、キャビネット内のデッドスペースを縮小できなかった。この点を解決する排水トラップとして、ボトルトラップで構成されたボトル型排水トラップがある。【０００３】  そして、このＳ型排水トラップには、Ｓ字トラップで構成され、そのＳ字トラップの下向きに曲がり終えた下傾斜状の傾斜管と、その下流に垂下状の垂下管とを設け、該垂下管と前記傾斜管との交わる部分の内側に凸部が配置されて絞り部を形成させ、封水の噴き出しによる異音の発生を防止し、更には、該凸部にゴミを溜まり難くしたものがあった（特許文献１）。【０００４】  また、ボトル型排水トラップには、排水の流れ込む流入管の下部を封水筒とし、該封水筒が封水部（ウェア）を形成したボトルトラップ内に挿入設置されて、前記封水部に接続管を介して流出管が接続され、封水筒の下端を絞り口にして逆流防止されるものがあった（特許文献２）。
【先行技術文献】
【特許文献】
【０００５】
【特許文献１】  特開２０１０−２２２８９０
【特許文献２】  特開２００３−３２８４１８
【発明の概要】
【発明が解決しようとする課題】
【０００６】  Ｓ字トラップの下向きに曲がり終えた下傾斜状の傾斜管と、その下流に垂下管とを設け、この傾斜管の垂下管と交わる部分に絞り部を形成したＳ型排水トラップは、Ｓ字トラップの形態ではコンパクトにし難く、狭い空間での取付け作業が困難であり、また、デッドスペースが多くなり、その設置に占める空間を大きくしなければならなかった。【０００７】  そして、コンパクトにできるボトル型排水トラップでは、ボトルトラップ内にゴミやアカ、異物が堆積しがちで、それらが付着しての汚れ、最悪の場合には、これらの付着物でボトルトラップ内が詰まってしまう恐れがあった。また、異音の発生があった。【０００８】  本発明は、コンパクトにでき、キャビネット内のデッドスペースを縮小できる、そして、ゴミやアカ、異物の堆積及び付着を洗い流し、即ち、自浄作用される、その上、異音を発生させない排水トラップが得られることを目的とする。
【課題を解決するための手段】
【０００９】  本発明の排水トラップは、下端部を塞いだ流入管と、上端部を塞いだ流出管とが隣接並列して配設され、流入管の下部に開口接続され、流出管外周面に螺旋状旋回上昇して、流出管の上部に開口接続された傾斜管を設け、排水が、螺旋状に旋回上昇されて渦巻き流にするものである。【００１０】  本発明の排水トラップは、流出管外周面に螺旋状旋回上昇させた傾斜管がその上方端を流出管上部のその接線方向に接続して開口され、螺旋状に旋回上昇して渦巻き流になった排水が流出管内にも渦巻き流となって勢い良く流れ込むものである。【００１１】  本発明の排水トラップは、傾斜管が流出管外周面に螺旋状旋回上昇させて設けられ、コンパクトにした該傾斜管で渦巻き流を起し、流出管上部に接続した傾斜管上方端が封水部（ウェア）とされるものである。
【発明の効果】
【００１２】  本発明の排水トラップは、傾斜管が流出管外周面に螺旋状旋回上昇して設けられ、長くなりがちの傾斜管もコンパクトにでき、よって、排水トラップ自体がコンパクトにでき、螺旋状に旋回上昇する傾斜管によって、排水が、流入管の下部から流出管の上部へ渦巻いて上昇し、この渦巻き流によって、排水トラップ内のゴミやアカ、異物などの付着による汚れを清掃し、自浄作用を果すことになる。【００１３】  本発明の排水トラップは、流出管外周面に螺旋状旋回上昇させた傾斜管がその上方端を流出管上部のその接線方向に接続して開口され、螺旋状に旋回上昇して渦巻き流になった排水が、傾斜管の上方端を流出管上部のその接線方向に接続したので、流出管内でも渦巻き流となって勢い良く流れ込み、ゴミやアカ、異物などの付着による汚れを清掃し、更なる効果的な自浄作用がされる。【００１４】  そして、傾斜角が一定である傾斜管を渦巻き流となって流れる排水には、傾斜角に変化がないので流れに乱れがなく、異音を発生することがない。
また、傾斜管上方端が封水部（ウェア）とされ、該封水部を越えて流出管へ流れる排水においても、傾斜管での渦巻き流の状態で流れ込む故、キャビィテーションを起さず、封水部での異音の発生がない。
更に、傾斜管上方端を封水部（ウェア）とすることによって、防臭、害虫類の通過防止ができる。
【図面の簡単な説明】
【００１５】
【図１】  排水トラップの斜視全体図である。
【図２】  排水トラップの縦断面図である。
【図３】  排水トラップの横断面図である。
【発明を実施するための形態】
【００１６】  本発明の排水トラップは、図１乃至図３に示す如く、流入管１と、流出管２と、そして傾斜管３とで構成され、流入管１の下端部は塞がれ、その流入管１の下部を開口１１して傾斜管３の下方端が接続され、該傾斜管は、流入管１との接続から流出管２の外周面に螺旋状旋回上昇させ、上端部が塞がれた該流出管の上部を開口２１して、傾斜管３の上方端が接続される。
【００１７】  傾斜管３は長くなっても、流出管２外周面に螺旋状旋回上昇させるためコンパクトにでき、よって、排水トラップ自体もがコンパクトにでき、流出管２外周面に螺旋状旋回上昇する傾斜管によって、排水の流れが渦巻き流にされ、この渦巻き流で排水トラップ内のゴミやアカ、異物などの付着による汚れを清掃し、いわゆる自浄作用される。
【００１８】  本発明の排水トラップは、流出管２外周面に螺旋状旋回上昇させた傾斜管３がその上方端を流出管２上部のその接線方向に接続して開口され、排水を螺旋状に旋回上昇して渦巻き流にし、傾斜管の上方端を流出管上部の接線方向に接続しているので、該渦巻き流が流出管２にも勢い良く流れ込み、ゴミやアカ、異物などの付着による汚れを清掃し、最も効果的な自浄作用されるものである。
【００１９】  傾斜管３は、一定の傾斜角であるので排水の流れに乱れを生じさせることなく、騒音の発生を起さない。
また、傾斜管３上方端の流出管２の開口２１への接続部は封水部（ウェア）４をなし、該封水部によって、防臭、害虫類の通過を阻止することになる。
そして、この封水部４より流出管２へ流れる排水は、傾斜管３を流れる過程での渦巻き流の延長であるので、その勢い良く流れ込む渦巻き流によって異音を発生するようなことにならない。
なお、流入管１の下端部を塞ぐためには、この下端部をドレン抜きにして、ドレンキャップ５を被せれば良い。
そして、流入管１の上端部は、洗面器、流し、及び手洗い器の排水口へ接続され、また、流出管２の下端部は、排水管へ接続される。
なおまた、６は、オーバーフロー管に接続するオーバーフロー枝管である。
【符号の説明】
【００２０】１      流入管
１１    開口
２      流出管
２１    開口
３      傾斜管
４      封水部
５      ドレンキャップ
６      オーバーフロー枝管
【図１】
0005777059.tif 000002
【図２】
0005777059.tif 000003
【図３】
0005777059.tif 000004